(57)【要約】【課題】係合部の変形・破損の可能性を軽減し、組付性をよくし、省スペースの要請に応える。【解決手段】電気接続箱１０を上から収納ボックス３１に挿入することにより、収納ボックス内に電気接続箱を収納すると共に、挿入時に、挿入方向と平行に相対面する電気接続箱側の外側面１１Ｃａと収納ボックス側の内側面３１Ｃａにそれぞれ設けられた係合部が互いに係合することによって、電気接続箱が収納ボックスに抜け止め固定される構造において、電気接続箱１０の外側面１１Ｃａに、収納ボックス３１への挿入方向に沿って延びる溝状の凹み１６を設け、その凹み１６の中に係合凸部１７を設け、収納ボックスの内側面３１Ｃａに係合凸部と係合する係合突起３７を設け、係合凸部の挿入方向の後側の凹部１６ａとして、電気接続箱のロック部を形成するための射出成形用の型抜き穴２３を利用した。【選択図】図３
2008099390.tif 000002
【特許請求の範囲】
【請求項１】
電気接続箱を一定の方向から収納ボックスに挿入することにより、収納ボックス内に電気接続箱を収納すると共に、挿入時に、挿入方向と平行に相対面する電気接続箱側の外側面と収納ボックス側の内側面にそれぞれ設けられた係合部が互いに係合することによって、電気接続箱が収納ボックスに抜け止め固定される電気接続箱の収納ボックスへの収納構造において、
前記電気接続箱の外側面に、前記収納ボックスへの挿入方向に沿って延びる溝状の凹みを設け、その凹みの延在方向の途中に、挿入方向の後側に凹み）を残した状態で、前記係合部として、該凹みの底面から隆起し且つ凹みの高さ以下の高さを有する係合凸部を設け、
一方、前記収納ボックスの内側面に、電気接続箱の挿入時に前記係合凸部に押されて変位することにより、係合凸部の乗り越えを許して、その上で該係合凸部の後面と係合する係合部を設けたことを特徴とする電気接続箱の収納ボックスへの収納構造。
【請求項２】
請求項１に記載の電気接続箱の収納ボックスへの収納構造であって、
前記係合凸部の挿入方向の前端面に、収納ボックス側の係合部への乗り越えを容易にする傾斜面を設けたことを特徴とする電気接続箱の収納ボックスへの収納構造。
【請求項３】
請求項１または２に記載の電気接続箱の収納ボックスへの収納構造であって、
前記係合凸部の挿入方向の後側の凹みとして、前記電気接続箱の特定部分を形成するための射出成形用の型抜き穴を利用したことを特徴とする電気接続箱の収納ボックスへの収納構造。
【請求項４】
請求項３に記載の電気接続箱の収納ボックスへの収納構造であって、
前記型抜き穴として、電気接続箱を構成する上カバーと下カバーを係止するロック部を形成するための射出成形用の型抜き穴を利用したことを特徴とする電気接続箱の収納ボックスへの収納構造。
【請求項５】
請求項１〜４のいずれか１項に記載の電気接続箱の収納ボックスへの収納構造であって、
前記凹みと係合凸部が、互いに平行をなす電気接続箱の２つの外側面に形成され、前記収納ボックス側の係合部が、互いに平行をなす収納ボックスの２つの内側面に形成されていることを特徴とする電気接続箱の収納ボックスへの収納構造。
【発明の詳細な説明】
【技術分野】
【０００１】
本発明は、主として車両に搭載される電気接続箱の収納ボックスへの収納構造に関するものである。
【背景技術】
【０００２】
電気接続箱を収納ボックスに収納して固定する場合、一般的には、電気接続箱の外周部に係合部を設けると共に、収納ボックスの内周部に前記係合部に係合する係合部を設けている（例えば、特許文献１参照）。
【０００３】
図７は従来の電気接続箱と収納ボックスの関係を示す斜視図、図８は電気接続箱を収納ボックスに収納した状態を示す正面から見た断面図、図９は図８のＩＸ部の拡大図である。
【０００４】
符号１１０で示すものは電気接続箱、１３０はそれを収納するための収納ボックスである。収納ボックス１３０の外側には、車体へボルト固定するための固定ブラケット１７０が付いている。電気接続箱１１０は、樹脂製の上ケース１１１と下ケース１１２を合わせてできる空間の内部に電気部品（図示略）を収容したものである。また、収納ボックス１３０は、ロアカバー１３１と、その正面を覆うように係合されるアッパーカバー１３２とからなる。
【０００５】
電気接続箱１１０の上ケース１１１は、四角形の正面壁１１１Ａと、その四辺に連設された上下壁１１１Ｂと左右側壁１１１Ｃと、を有する四角い箱形をなしており、左右側壁１１１Ｃの外面（外側面１１１Ｃａ）に、係合突起１１７ａの付いた弾性係合アーム１１７と、電気接続箱１１０を収納ボックス１３０に挿入するときにガイド作用をなすガイドレール１１６、１１８と、を突設している。
【０００６】
ガイドレール１１６、１１８は、弾性係合アーム１１７を保護するように、弾性係合アーム１１７の両側に配置されている。この場合、弾性係合アーム１１７を形成する際の射出成形金型の型抜きの関係（型抜き方向を矢印Ｋで示す）から、片方のガイドレール１１８は、上下に分断した形で形成されている。
【０００７】
また、収納ボックス１３０のロアカバー１３１は、電気接続箱１１０を収納する空間１３３を取り囲む、背面壁１３１Ａと、下壁１３１Ｂと、左右側壁１３１Ｃと、下側前壁１３１Ｄと、左右前壁１３１Ｅと、から構成されており、下側前壁１３１Ｄと左右前壁１３１Ｅとで覆われない、前面中央部分から上面にかけての範囲が開放している。そして、左右側壁１３１Ｃの内面（内側面１３１Ｃａ）に、電気接続箱１１０の弾性係合アーム１１７と係合する段差（係合部）１３７が設けられている。
【０００８】
この構成の収納ボックス１３０に電気接続箱１１０を収納する場合は、電気接続箱１１０を上方からロアカバー１３１に挿入する。そうすると、ガイドレール１１６、１１８がロアカバー１３１の内側面に案内されることにより、スムーズに電気接続箱１１０がロアカバー１３１内の空間１３３に挿入される。そして、挿入時に、弾性係合アーム１１７の係合突起１１７ａがロアカバー１３１の内側面１３１Ｃａに干渉することで、弾性係合アーム１１７が撓み変形し、更に電気接続箱１１０が挿入されることで、弾性復元する弾性係合アーム１１７の係合突起１１７ａが、ロアカバー１３１の内側面１３１Ｃａの段差１３７に係合して、電気接続箱１１０がロアカバー１３１に係止される。
【０００９】
その状態で、アッパーカバー１３２をロアカバー１３１に被せてロックすることにより、電気接続箱１１０を収納ボックス１３０に収納・固定した状態で保護することができる。
【特許文献１】特開２００１−６１２１６号公報
【発明の開示】
【発明が解決しようとする課題】
【００１０】
ところで、上記の従来構造では、電気接続箱１１１の外側面１１１Ｃａに突出した形で弾性係合アーム１１７が設けられていたため、特に冬場等の低温作業時に、落としたりぶつけたりした場合に、弾性係合アーム１１７が変形したり破損したりすることがあった。弾性係合アーム１１７が変形したり破損したりすると、収納ボックス１３０に電気接続箱１１０を正常に嵌められなくなったり、嵌められた場合でもガタつきを起こしたりする問題がある。
【００１１】
また、上記の従来構造の場合、ガイドレール１１６、１１８があることによって、弾性係合アーム１１７の変形や破損を未然に防ぐことを期待しているが、突出物が存在する分だけ、余分なスペースをとることになり、省スペース化の要請に対して不都合を生じることになる。
【００１２】
これらの点は、弾性係合アームの代わりに、電気接続箱１１１の外側面１１１Ｃａに係合凸部を突出して設ける場合にも、同様に言えることである。
【００１３】
また、射出成形時の型抜きの関係から、片方のガイドレール１１８が分断した形になっているため、ガイドする上でも不具合を生じる可能性があった。
【００１４】
本発明は、上記事情を考慮し、電気接続箱に設けた係合部の変形・破損の可能性を軽減し、組付性をよくし、しかも省スペースの要請にも応えることができるようにした電気接続箱の収納ボックスへの収納構造を提供することを目的とする。
【課題を解決するための手段】
【００１５】
請求項１の発明は、電気接続箱を一定の方向から収納ボックスに挿入することにより、収納ボックス内に電気接続箱を収納すると共に、挿入時に、挿入方向と平行に相対面する電気接続箱側の外側面と収納ボックス側の内側面にそれぞれ設けられた係合部が互いに係合することによって、電気接続箱が収納ボックスに抜け止め固定される電気接続箱の収納ボックスへの収納構造において、前記電気接続箱の外側面に、前記収納ボックスへの挿入方向に沿って延びる溝状の凹みを設け、その凹みの延在方向の途中に、挿入方向の後側に凹みを残した状態で、前記係合部として、該凹みの底面から隆起し且つ凹みの高さ以下の高さを有する係合凸部を設け、一方、前記収納ボックスの内側面に、電気接続箱の挿入時に前記係合凸部に押されて変位することにより、係合凸部の乗り越えを許して、その上で該係合凸部の後面と係合する係合部を設けたことを特徴とする。
【００１６】
請求項２の発明は、請求項１に記載の電気接続箱の収納ボックスへの収納構造であって、前記係合凸部の挿入方向の前端面に、収納ボックス側の係合部への乗り越えを容易にする傾斜面を設けたことを特徴とする。
【００１７】
請求項３の発明は、請求項１または２に記載の電気接続箱の収納ボックスへの収納構造であって、前記係合凸部の挿入方向の後側の凹みとして、前記電気接続箱の特定部分を形成するための射出成形用の型抜き穴を利用したことを特徴とする。
【００１８】
請求項４の発明は、請求項３に記載の電気接続箱の収納ボックスへの収納構造であって、前記型抜き穴として、電気接続箱を構成する上カバーと下カバーを係止するロック部を形成するための射出成形用の型抜き穴を利用したことを特徴とする。
【００１９】
請求項５の発明は、請求項１〜４のいずれか１項に記載の電気接続箱の収納ボックスへの収納構造であって、前記凹みと係合凸部が、互いに平行をなす電気接続箱の２つの外側面に形成され、前記収納ボックス側の係合部が、互いに平行をなす収納ボックスの２つの内側面に形成されていることを特徴とする。
【発明の効果】
【００２０】
請求項１の発明によれば、電気接続箱の外側面に突起物（係合凸部や係合アームなど）をいきなり設けるのではなく、電気接続箱の外側面に、該電気接続箱の挿入方向に延びる凹みを形成して、その凹みの中に、凹み以上の高さを有しないように係合凸部を設けたので、外側面の表面の出っ張りを無くすことができる。従って、出っ張りがない分だけ、寸法を削ることができ、省スペース化に貢献することができる。また、係合凸部を凹みの中に形成してあるので、電気接続箱を落としたりぶつけたりした場合でも、係合凸部が変形したり破損したりしにくくなり、収納ボックスに正常にガタつきなく嵌め込むことができる。また、係合凸部を保護するためにガイドレールを敢えて設ける必要がなくなることにより、ガイドレールのような突出物によらずに、凹みを設けた外側面自体をガイド面として、電気接続箱を収納ボックスに挿入できることになる。そのため、射出成形上の制限からガイドレールが分断され、そのためにガイド性能に不具合が生じるようなことがなくなり、組付性の改善が図れる。
【００２１】
請求項２の発明によれば、係合凸部の挿入方向の前面に傾斜面を設けているので、スムーズに収納ボックス側の係合部と係合させることができ、組付作業性の向上が図れる。
【００２２】
請求項３の発明によれば、係合凸部の挿入方向の後側の凹みとして、電気接続箱の特定部分を形成するための射出成形用の型抜き穴を利用しているので、金型の無駄加工を極力減らすることができる。
【００２３】
請求項４の発明によれば、型抜き穴として、ロック部を形成するための型抜き穴を利用しているので、金型の無駄加工を極力減らせてコスト低減に寄与することができる。
【００２４】
請求項５の発明によれば、凹みと係合凸部を、互いに平行をなす電気接続箱の２つの外側面に形成し、収納ボックス側についても、２つの内側面に係合部を設けているので、両側で電気接続箱を安定的に固定することができる。
【発明を実施するための最良の形態】
【００２５】
以下、本発明の実施形態を図面を参照して説明する。
【００２６】
図１は実施形態の電気接続箱と収納ボックスの関係を示す斜視図、図２は同電気接続箱を収納ボックスのロアカバーに挿入している途中の状態を示す斜視図、図３は図２の状態を必要部分を断面にして示す斜視図、図４は同電気接続箱を収納ボックスのロアカバーに収納した状態を必要部分を断面にして示す斜視図、図５は同電気接続箱の上ケースと下ケースのロック部の構造を示す外観斜視図、図６は図５のＶＩ−ＶＩ矢視断面部分のロック前の状態を示す図である。
【００２７】
図１において、符号１０で示すものは電気接続箱、３０はそれを収納するための収納ボックスであり、収納ボックス３０の外側に、車体へボルト固定するための固定ブラケット７０が付いている。
【００２８】
電気接続箱１０は、樹脂製の上ケース１１と下ケース１２を合わせてできる空間の内部に電気部品（図示略）を収容したものである。また、収納ボックス３０は、ロアカバー（単体で「収納ボックス」ということもある）３１と、その正面を覆うように係合されるアッパーカバー３２とからなる。
【００２９】
電気接続箱１０の上ケース１１は、四角形の正面壁１１Ａと、その四辺に連設された上下壁１１Ｂと、左右側壁１１Ｃと、を有する四角い箱形をなしており、左右側壁１１Ｃの外面（外側面１１Ｃａ）に、溝状の凹み１６と、係合凸部１７とを有している。
【００３０】
溝状の凹み１６は、ロアカバー３１への電気接続箱１０の挿入方向（図１において上から下に向かう方向）に沿って延びており、係合凸部１７は、その凹み１６の延在方向の途中に、挿入方向の後側（上側）に凹み１６ａを残した状態で形成されている。係合凸部１７は、凹み１６の底面から隆起し、且つ、凹み１６の高さ以下の高さを有している。本例では、係合凸部１７は、凹み１６の高さと同等の高さを有し、頂面が外側面１１Ｃａと面一となっている。
【００３１】
また、係合凸部１７の挿入方向の前端面には、図３に示すように、収納ボックス３０のロアカバー３１側の係合部３７への乗り越えを容易にする傾斜面１７ａが設けられている。
【００３２】
この場合、電気接続箱１０は長方形の箱形をなしており、凹み１６と係合凸部１７は、互いに平行をなす電気接続箱１０の２つの外側面１１Ｃａに形成されている。
【００３３】
また、図５、図６に示すように、電気接続箱１０を構成する上ケース１１と下ケース１２は、下ケース１２側の係止突起２１を上ケース１１側の係止孔２２に差し込むことによりロックされており、上ケース１１の外側面１１Ｃａには、その係止孔２２を形成するための射出成形用の型抜き穴２３が存在する。つまり、側壁１１Ｃの一部に、内側に一段引っ込んだ凹み壁１１Ｅを設けてあり、その凹み壁１１Ｅを設けた部分を、係止孔２２を形成する際の型抜き穴２３としている。そこで、本実施形態では、その型抜き穴２３を、係合凸部１７の挿入方向の後側の凹み１６ａとして利用している。
【００３４】
また、図１に示すように、収納ボックス３０のロアカバー３１は、電気接続箱１０を収納する空間３３を取り囲む、背面壁３１Ａと、下壁３１Ｂと、左右側壁３１Ｃと、下側前壁３１Ｄと、左右前壁３１Ｅと、から構成されており、下側前壁３１Ｄと左右前壁３１Ｅとで覆われない、前面中央部分から上面にかけての範囲が開放している。
【００３５】
そして、左右側壁３１Ｃの内面（内側面３１Ｃａ）に、図３に示すように、電気接続箱１０の挿入時に係合凸部１７に押されて変位することにより、係合凸部１７の乗り越えを許して、その上で該係合凸部１７の後面と係合する係合突起３７が設けられている。ロアカバー３１の係合突起３７も、互いに平行をなす左右側壁３１Ｃの各内側面３１Ｃａに形成されている。また、その同じ内側面３１Ｃａに、前記凹み１６に対応して配置されることで電気接続箱１０の挿入動作を案内するガイド用のリブ３４が設けられている。
【００３６】
また、凹み１６を形成した上ケース１１の外側面１１Ｃａと直交する関係にある下ケース１２の背面と、当該下ケース１２の背面に対向する収納ボックス３０のロアカバー３１の背面壁３１Ａの内側面３１Ａａとが、電気接続箱１０の外側面１１Ｃａとロアカバー３１の内側面３１Ｃａの関係と同様に、電気接続箱１０をロアカバー３１へ挿入する際の動作をガイドするガイド面として機能するように構成されている。
【００３７】
このような構成の収納ボックス３０に電気接続箱１０を収納する場合は、電気接続箱１０を上方からロアカバー３１に挿入する。そうすると、ロアカバー３１の内側面３１Ａａ、３１Ｃａ及びリブ３４に案内されることにより、スムーズに電気接続箱１０をロアカバー３１内の空間３３に挿入することができる。
【００３８】
そして、その挿入時に、挿入方向と平行に相対面する電気接続箱１０側の外側面１１Ｃａとロアカバー３１側の内側面３１Ｃａにそれぞれ設けられた係合凸部１７と係合突起３７が互いに係合することにより、電気接続箱１０がロアカバー３１に抜け止め固定される。
【００３９】
その状態で、アッパーカバー３２をロアカバー３１に被せてロックすることにより、電気接続箱１０を収納ボックス３０に収納・固定した状態で保護することができる。
【００４０】
以上のように、上記の収納構造によれば、電気接続箱１０の外側面１１Ｃａに突起物をいきなり設けるのではなく、電気接続箱１０の外側面１１Ｃａに、該電気接続箱１０の挿入方向に延びる凹み１６を形成して、その凹み１６の中に、凹み１６以上の高さを有しないように係合凸部１７を設けているので、外側面１１Ｃａの表面の出っ張りを無くすことができる。従って、出っ張りがない分だけ、寸法を削ることができ、省スペース化に貢献することができる。
【００４１】
また、係合凸部１７を凹み１６の中に形成してあるので、電気接続箱１０を落としたりぶつけたりした場合でも、係合凸部１７が変形したり破損したりしにくく、収納ボックス３０のロアカバー３１に正常にガタつきなく嵌め込むことができる。また、係合凸部１７を保護するためにガイドレールを敢えて設ける必要がないため、ガイドレールのような突出物によらずに、凹み１６を設けた外側面１１Ｃａ自体をガイド面として電気接続箱１０を収納ボックス３０のロアカバー３１に挿入できる。そのため、射出成形上の制限からガイドレールが分断されていて、そのためにガイド性能に不具合が生じる、というようなことがなくなり、組付性の改善が図れる。
【００４２】
また、係合凸部１７の挿入方向の前面には傾斜面１７ａを設けているので、スムーズにロアカバー３１側の係合突起（係合部）３７と係合させることができ、組付作業性の向上が図れる。
【００４３】
また、本実施形態では、係合凸部１７の挿入方向の後側の凹み１６ａとして、電気接続箱１０のロック部を形成するための射出成形用の型抜き穴２３を利用しているので、金型の無駄加工を極力減らすることができ、コスト低減に寄与することができる。
【００４４】
また、凹み１６と係合凸部１７を、互いに平行をなす電気接続箱１０の２つの外側面１１Ｃａに形成し、収納ボックス３０のロアカバー３１側についても、互いに平行をなす２つの内側面３１Ｃａに係合突起３７を設けているので、左右両側で電気接続箱１０をバランスよく安定的に固定することができる。
【００４５】
また、本実施形態では、凹み１６とリブ３４をガイドにして電気接続箱１０を挿入できるようにしている上、直交する２面をガイドにして電気接続箱１０をロアカバー３１に挿入できるようにしているので、組付をよりスムーズに行うことができ、組付作業性の向上が図れる。
【図面の簡単な説明】
【００４６】
【図１】本発明の実施形態の電気接続箱と収納ボックスの関係を示す斜視図である。
【図２】同電気接続箱を収納ボックスのロアカバーに挿入している途中の状態を示す斜視図である。
【図３】図２の状態を必要部分を断面にして示す斜視図である。
【図４】同電気接続箱を収納ボックスのロアカバーに収納した状態を必要部分を断面にして示す斜視図である。
【図５】同電気接続箱の上ケースと下ケースのロック部の構造を示す外観斜視図である。
【図６】図５のＶＩ−ＶＩ矢視断面部分のロック前の状態を示す図である。
【図７】従来の電気接続箱と収納ボックスの関係を示す斜視図である。
【図８】同電気接続箱を収納ボックスに収納した状態を示す正面から見た断面図である。
【図９】図８のＩＸ部の拡大図である。
【符号の説明】
【００４７】
１０  電気接続箱
１１  上ケース
１１Ｃａ  外側面
１２  下ケース
１７  係合凸部
１７ａ  傾斜面
１６  凹み
１６ａ  凹み
２３  型抜き穴
３０  収納ボックス
３１  ロアカバー（収納ボックス）
３１Ｃａ  内側面
３１Ａａ  内側面
３２  アッパーカバー
３４  リブ
３７  係合突起（係合部）
【図１】
2008099390.tif 000003
【図２】
2008099390.tif 000004
【図３】
2008099390.tif 000005
【図４】
2008099390.tif 000006
【図５】
2008099390.tif 000007
【図６】
2008099390.tif 000008
【図７】
2008099390.tif 000009
【図８】
2008099390.tif 000010
【図９】
2008099390.tif 000011